(57)【要約】【課題】網状パネルの横線を確固に挟持し、位置合わせ、ボルト挿通までの保持作業が容易で、ボルトの締め過ぎによる締め付け不良が生じにくいフェンス用網状パネルの接続構造を提供する。【解決手段】、第１の挟持金具１１の溝部１７と第２の挟持金具１２の挟持凹部２３とにより網状パネル１の横線３ａを挟持し、第２の挟持金具１２の挟持凹部２３を横線３ａに係合させる。両金具１１，１２の上下方向の位置合わせ作業、ボルト挿通までの保持作業が容易である。第２の挟持金具１２の当接片２４が第１の挟持金具１１の基部１３の裏面に当接するので、ボルト２５、ナット２６の締め過ぎによる締め付け不良が生じにくい。【選択図】図３
2015113650.tif 000002
【特許請求の範囲】
【請求項１】
線材からなる縦方向に延びる複数の縦線とこの縦線の表側面に溶着された横方向に延びる複数の横線とをそれぞれ有してなる左右２つのフェンス用網状パネルの隣接端部を、それぞれの末端の一の縦線とこれと交差するそれぞれの一の横線とに係合させて第１の挟持金具と第２の挟持金具とで表側と裏側から挾んで角根ボルトとナットで締め付けることにより、互いに接続する網状パネルの接続構造であって、
前記第１の挟持金具は、金属板材を屈曲成形してなり、概略矩形状の基部と、この基部に設けられボルト挿通用の角孔と、前記末端の各縦線の内側面に沿うように基部の左右両縁から直角に前記網状パネル側に突出する左右一対の折り曲げ片と、基部の上縁から断面ほぼＶ字状に表側へ隆起するように設けられた曲げ部と、前記それぞれの一の横線を受けるように曲げ部の裏側に設けられた横方向直線状に延びる溝部と、曲げ部の左右上縁から前記末端の各縦線の内側を通って裏側に突出するように延出する左右一対の押さえ片と、当該一対の押さえ片間に末端の各縦線を通すように形成される保持凹部とを具備し、
前記第２の挟持金具は、金属板材を屈曲成形してなり、前記第１の挟持金具の基部と対向する概略矩形状の基部と、第１の挟持金具の角孔と対向するように基部に設けられたボルト孔と、基部の左右両縁から直角に前記網状パネル側に突出し第１の挟持金具の折り曲げ片と平行に並んで配置される左右一対の折り曲げ片と、各網状パネルの前記一の横線を受けるように折り曲げ片上に設けられた挟持凹部と、基部のボルト孔の近傍において第１の挟持金具の基部の裏面に向かって網状パネル側に折り曲げ片よりわずかに短く起立した当接片とを具備し、
前記角孔とボルト孔に挿通されたボルトとこれに螺合するナットにより、前記第２の挟持金具の折り曲げ片が前記第１の挟持金具の基部の裏面に当接するまで第１及び第２の挟持金具の基部間が締め付けられることを特徴とするフェンス用網状パネルの接続構造。
【発明の詳細な説明】
【技術分野】
【０００１】
本発明は、フェンスを構成する網状パネル同士を横方向に接続する構造に係り、特に、各網状パネルが、線材からなる縦方向の複数の縦線と横方向の複数の横線とで面格子状に形成されたものの接続構造に関する。
【背景技術】
【０００２】
従来、フェンス用網状パネルの接続構造として、接続すべき左右２つの網状パネルを、表側と裏側から第１、第２の２つの挟持金具で挾持することにより、互いに接続するものが知られている（例えば特許文献1参照）。網状パネルは、線材からなる縦方向に延びる複数の縦線と、この縦線の表側面に溶着された横方向に延びる複数の横線とを具備する。２つの挟持金具は、１本のボルトで締め付けられる。ほぼ相似形に形成された第１、第２の挟持金具を網状パネルを挟んで向かい合わせに突き合わせ、向かい合った溝状部を各網状パネルの横線に嵌合させる。両金具の溝状部の端縁である爪部の先端同士が突き合わされることにより、向かい合った溝状部間に横線を通す断面ほぼ菱形の空間が形成される。向かい合った基部間の左右両縁部に沿って縦線が貫通する。第１、第２の挟持金具は、基部の中央を貫通するボルトにより、向かい合った両基部間を接近させる方向に締め付けられる。
【先行技術文献】
【特許文献】
【０００３】
【特許文献１】特開２００３−２０１７７６号公報
【発明の概要】
【発明が解決しようとする課題】
【０００４】
特許文献１に記載のフェンス用網状パネルの接続構造においては、網状パネルの横線が縦線の表側に溶着されているため、第１、第２の挟持金具のうち、表側に配置されるものの溝状部だけに横線が当接することになり、横線は両金具の溝状部間の空間の中央に配置されない。このため、両金具による横線の挟持力は限定される。また、裏側配置される金具が直接横線と係合しないため、これを表側の挟持金具と突き合わせるときに、上下方向の位置合わせ作業に手間取るし、ボルトを挿通するまで片手で両金具を適正位置に保持する作業に難渋する。両金具の基部間には空間が形成されるが、横線を両溝状部間で締め付けようとボルトを締め込むと、時として締め過ぎによる金具の変形が生じやすく、締め付け不良となる難点がある。
したがって、本発明は、網状パネルの横線を確固に挟持でき、両金具の上下方向の位置合わせ作業、ボルト挿通までの保持作業が容易で、ボルトの締め過ぎによる締め付け不良が生じにくいフェンス用網状パネルの接続構造を提供することを目的としている。
【課題を解決するための手段】
【０００５】
以下、添付図面の符号を参照して説明するが、本発明はこれに限定されるものではない。
上記課題を解決するための、本発明のフェンス用網状パネルの接続構造は、線材からなる縦方向の複数の縦線２と、この縦線２の表側面に溶着された横方向の横線３とをそれぞれ有してなる左右２つの網状パネルの隣接端部を、第１、第２の２つの挟持金具１１，１２で表裏から挾み、角根ボルト２５とナット２６で締め付けて接続する構造である。２つの挟持金具１１，１２は、各網状パネル１の末端の一の縦線２ａと、これと交差するそれぞれの一の横線３ａとに係合する。第１の挟持金具１１は、金属板材を屈曲成形してなり、概略矩形状の基部１３と、この基部１３に設けられたボルト挿通用の角孔１４と、基部１３の左右両縁から直角に起立し、末端の各縦線２ａの内側に沿って網状パネル１の裏側に突出する左右一対の折り曲げ片１５と、基部１３の上縁から断面ほぼＶ字状に表側へ隆起するように設けられた曲げ部１６と、それぞれの一の横線を受けるように曲げ部１６の裏側に設けられた横方向直線状に延びる溝部１７と、曲げ部１７の左右上縁から末端の各縦線２ａの内側を通って裏側に突出するように延出する左右一対の押さえ片１８と、当該一対の押さえ片１８間に末端の各縦線２ａを通すように形成される保持凹部１９とを具備する。第２の挟持金具１２は、金属板材を屈曲成形してなり、第１の挟持金具１１の基部１３と対向する概略矩形状の基部２０と、第１の挟持金具１１の角孔１４と対向するように基部２０に設けられたボルト孔２１と、基部２０の左右両縁から直角に網状パネルの表側に突出し、第１の挟持金具１１の折り曲げ片１５と平行に並んで配置される左右一対の折り曲げ片２２と、各網状パネル１の一の横線３ａを受けるように折り曲げ片２２上に設けられた挟持凹部２３と、基部２０のボルト孔２１の近傍において第１の挟持金具１１の基部１３の裏面に向かって網状パネルの表側へ起立した当接片２４とを具備する。当接片２４の起立高さは、折り曲げ片２２よりわずかに短く構成される。角孔１４とボルト孔２１に挿通されたボルト２５とこれに螺合するナット２６により、折り曲げ片２２が基部１３の裏面に当接するまで第１及び第２の挟持金具の基部１３，２０間が締め付けられる。
【発明の効果】
【０００６】
本発明のフェンス用網状パネルの接続構造においては、第１の挟持金具１１の溝部１７と第２の挟持金具１２の挟持凹部２３とにより網状パネル１の横線３ａを確固に挟持でき、第２の挟持金具１２の挟持凹部２３を横線３ａに係合させることで、両金具１１，１２の上下方向の位置合わせ作業、ボルト挿通までの保持作業が容易であり、ボルト２５、ナット２６を過剰に締め付けても、当接片２４が第１の挟持金具１１の基部１３に当接して挟持金具１１の塑性変形を防止できる。
【図面の簡単な説明】
【０００７】
【図１】本発明によるフェンス用網状パネルの接続構造を示す正面図である。
【図２】図１のフェンス用網状パネルの接続構造を示す斜視図である。
【図３】図１のフェンス用網状パネルの接続構造における接続具を示す分解斜視図である。
【図４】図３の接続具における第一の挟持金具を示す正面図である。
【図５】図３の接続具における第一の挟持金具を示す側面図である。
【図６】図３の接続具における第一の挟持金具を示す平面図である。
【図７】図３の接続具における第二の挟持金具を示す正面図である。
【図８】図３の接続具における第二の挟持金具を示す側面図である。
【図９】図３の接続具における第二の挟持金具を示す平面図である。
【図１０】図７のX−X断面図である。
【図１１】図１のフェンス用網状パネルの接続構造において接続具の中央で縦断面図である。
【発明を実施するための形態】
【０００８】
図面を参照して本発明の実施の形態を説明する。
左右方向に複数を接続してフェンスを構成するフェンス用網状パネル１は、線材からなる縦方向の複数の縦線２と、この縦線２の表側面に溶着された線材からなる横方向の複数の横線３とをそれぞれ有してなる。左右２つの網状パネル１は、隣接端部を第１、第２の２つの挟持金具１１，１２で表裏から挾持して角根ボルト２５とナット２６で接続される。第１の挟持金具１１が、網状パネル１の表側に配置され、第２の挟持金具１２が、網状パネル１の裏側に配置される。
【０００９】
２つの挟持金具１１，１２は、各網状パネル１の末端の一の縦線２ａと、これと交差するそれぞれの一の横線３ａとに係合する。
【００１０】
第１の挟持金具１１は、網状パネル１の表側に配置され、金属板材を屈曲成形してなり、基部１３と、ボルト挿通用の角孔１４と、左右一対の折り曲げ片１５と曲げ部１６と、その裏側の溝部１７と、左右一対の押さえ片１８と、保持凹部１９とを具備する。
【００１１】
基部１３は概略矩形状で、角孔１４は、基部１３のほぼ中央に設けられる。折り曲げ片１５は、基部１２の左右両縁から直角に裏側へ起立し、２つの隣接網状パネル１の末端の一の各縦線２ａの内側面に沿い、網状パネル１の裏側に突出する。
【００１２】
曲げ部１６は、基部１２の上縁から断面ほぼＶ字状に表側へ隆起するように設けられる。溝部１７は、曲げ部１６の裏側に設けられ、２つの網状パネル１のそれぞれの一の横線３ａを受けるように横方向直線状に延びる。
【００１３】
左右一対の押さえ片１８は、曲げ部１６の左右上縁から延出し、２つの網状パネル１の末端の一の各縦線２ａの内側を通って網状パネル１の裏側に突出する。保持凹部１９は、一対の押さえ片１８間に、各縦線２ａを通すように形成される。
【００１４】
第２の挟持金具１２は、金属板材を屈曲成形してなり、基部２０と、この基部上のボルト孔２１と、左右一対の折り曲げ片２２と、この折り曲げ片２２上の挟持凹部２３と、当接片２４とを具備する。
【００１５】
基部２０は、概略矩形状で、第１の挟持金具１１の基部１３と対向するように装着される。基部２０のほぼ中央部に設けられるボルト孔２１は、第１の挟持金具１１の角孔１４と対向する。
【００１６】
左右一対の折り曲げ片２２は、基部２０の左右両縁から直角に網状パネル１の表側に突出し、第１の挟持金具１１の折り曲げ片１５の内側面に沿う。折り曲げ片２２の上部の起立した縁部に挟持凹部２３が形成される。挟持凹部２３は、各網状パネル１の一の横線３ａを嵌合させるように受け入れる。
【００１７】
基部２０のボルト孔２１の近傍上下部に、基部２０から直角に切り起こされた当接片２４が設けられる。当接片２４は、第１の挟持金具１１の基部１３の裏面に向かって、網状パネル１の表側に起立する。当接片２４は、基部２０からの立ち上がり高さが、折り曲げ片２２よりわずかに短く設定されている。
【００１８】
相隣接する２つの網パネル１を互いに外側端で接続する際には、両パネル１を所定の間隔に配置し、表側から第１の挟持金具１１をあてがう。横線３ａに溝１７を嵌合させ、押さえ片１８を各縦線２ａの内側に沿って網パネル１の裏側へ突出させるように、第１の挟持金具１１を網パネル１の表側にあてがって保持する。一方、網パネル１の裏側から第２の挟持金具１２をあてがう。折り曲げ片１５の保持凹部１９を横線３ａの裏側に係合させて上下を位置決めし、折り曲げ片１５を第１の挟持金具１１の折り曲げ片１５の内側に沿わせ、第２の挟持金具１２を第１の挟持金具１１に突き合わせる。この状態で両金具１１，１２を一方の手で保持し、ボルト２５を第１の挟持金具１１の角孔１４から挿入し、第２の挟持金具１２のボルト孔２１に挿通し、ナット２６を螺合して、第１及び第２の挟持金具１１，１２の基部１３，２０間を締め付ける。その際、ナット２６の締め付け操作は、第２の挟持金具１２の折り曲げ片２２が第１の挟持金具１１基部１３の裏面に当接するまで行う。このようにして、第１の挟持金具１１と第２の挟持金具１２との間に各網状パネル１を挾持する。それ以上締め付けると、第２の挟持金具１２の当接片２４が第１の挟持金具１１の基部１３の裏面に当接するので、過剰締め付けによる金具１１，１２の塑性変形が防止される。
【符号の説明】
【００１９】
１    網状パネル
２    縦線
２ａ  水平縦線
３    横線
３ａ  水平横線
１１  第１の挟持金具
１２  第２の挟持金具
１３  基部
１４  角孔
１５  折り曲げ片
１６  曲げ部
１７  溝部
１８  押さえ片
１９  保持凹部
２０  基部
２１  ボルト孔
２２  折り曲げ片
２３  挟持凹部
２４  当接片
２５  ボルト
２６  ナット
【図１】
2015113650.tif 000003
【図２】
2015113650.tif 000004
【図３】
2015113650.tif 000005
【図４】
2015113650.tif 000006
【図５】
2015113650.tif 000007
【図６】
2015113650.tif 000008
【図７】
2015113650.tif 000009
【図８】
2015113650.tif 000010
【図９】
2015113650.tif 000011
【図１０】
2015113650.tif 000012
【図１１】
2015113650.tif 000013